(57)【要約】【課題】ヒンジユニットのトルク発生機構への水の侵入を防ぎ、グリスの漏出を防ぐ。【解決手段】中央に貫通孔５７３を有する底部が内部に設けられ、両端部が開口された筒体５７と、先端が貫通孔５７３に挿入され、基部に一方の開口５７１を封止する蓋部５３１が設けられた回転軸５３と、貫通孔５７３よりも大きく、貫通孔５７３に挿通された状態の回転軸５３の先端に設けられた脱落防止材５８と、筒体５７内の底部と蓋部５３１との間に軸方向に移動可能に設けられたスライド体５６と、スライド体５６と係合する係合部を有しスライド体５６に対して周方向に回転可能に設けられた回転部と、スライド体５６を回転部側に付勢する付勢材５５と、を備え、蓋部５３１の外周には筒体５７の内壁面との隙間を封止する第１の封止材５４が設けられ、他方の開口５７２は第２の封止材５９３により閉塞されるヒンジユニットである。【選択図】図６
2007271061.tif 000002
【特許請求の範囲】
【請求項１】
中央に貫通孔を有する底部が内部に設けられ、両端部が開口された筒体と、
先端が前記貫通孔に挿入され、基部に前記一方の開口を封止する蓋部が設けられた回転軸と、
前記貫通孔よりも大きく、前記貫通孔に挿通された状態の前記回転軸の先端に設けられた脱落防止材と、
前記筒体内の底部と蓋部との間に軸方向に移動可能に設けられたスライド体と、
前記スライド体と係合する係合部を有し前記スライド体に対して周方向に回転可能に設けられた回転部と、
前記スライド体を前記回転部側に付勢する付勢材と、を備え、
前記蓋部の外周には前記筒体の内壁面との隙間を封止する第１の封止材が設けられ、
前記他方の開口は第２の封止材により閉塞されることを特徴とするヒンジユニット。
【請求項２】
中央に貫通孔を有する底部が一方の端部に設けられ、他方の端部が開口された筒体と、
先端が前記貫通孔に挿入され、基部に前記開口を封止する蓋部が設けられた回転軸と、
前記貫通孔よりも大きく、前記貫通孔に挿通された状態の前記回転軸の先端に設けられた脱落防止材と、
前記筒体内に軸方向に移動可能に設けられたスライド体と、
前記スライド体と係合する係合部を有し前記スライド体に対して周方向に回転可能に設けられた回転部と、
前記スライド体を前記回転部側に付勢する付勢材と、を備え、
前記蓋部の外周には前記筒体の内壁面との隙間を封止する第１の封止材が設けられ、前記底部と前記脱落防止材との間には、前記回転軸と前記筒体との隙間を封止する第２の封止材が設けられることを特徴とするヒンジユニット。
【請求項３】
前記回転部は前記底部または前記蓋部であることを特徴とする請求項１または２に記載のヒンジユニット。
【請求項４】
前記筒体内の前記第１の封止材と前記第２の封止材との間にはグリスが充填されることを特徴とする請求項１〜３のいずれか一項に記載のヒンジユニット。
【請求項５】
前記回転軸の軸線方向と直角な軸線方向の第２の回転軸を備えることを特徴とする請求項１〜４のいずれか一項に記載のヒンジユニット。
【発明の詳細な説明】
【技術分野】
【０００１】
本発明は、ヒンジユニットに関する。
【背景技術】
【０００２】
従来の携帯電話機には、キー操作部を有する本体に対してヒンジ部が回転可能とされるとともに、表示画面を有する蓋体がヒンジ部に対して回転可能とされ、本体に対して蓋体の表示画面側または背面側のいずれかを重ね合わせることができる折り畳み式携帯電話機がある。このような携帯電話機では、本体と蓋体との開閉に用いる開閉軸と、開閉軸の軸線方向と直角な軸線方向の回転軸とを備えるヒンジユニットが採用されている。
【０００３】
このようなヒンジユニットには、軸方向にスライドするスライド体と、スライド体に対して周方向に回転する回転部と、スライド体と回転部とが接触するように付勢するバネを内蔵したトルク発生機構を有するものがある（例えば、特許文献１参照）。上記トルク発生機構では、スライド体と回転部との対向する面の一方に設けられた凸部と、他方に設けられた凹部とが所定の角度で係合する。バネによりスライド体と回転部とが接触するように付勢されているため、回転時にはバネの弾性力により係合状態になるように誘導される。一方、係合状態から脱するように回転させるときには、バネの弾性力に抗して係合を解除するためにトルクが必要となる。このため、ユーザは所定の回転角度において回転に必要なトルクの変化（クリック感）を感じる。
【特許文献１】特開２００５−１８８６４１号公報
【発明の開示】
【発明が解決しようとする課題】
【０００４】
ところで、ヒンジユニットでは上記トルク発生機構の内部への水の侵入を防ぐとともに、スライド体や回転部の磨耗を防ぐために充填されたグリスの漏出を防ぐ必要がある。しかし、従来は電気部品の防水に重点が置かれ、ヒンジユニット自体の防水が充分ではなく、またグリスの漏出防止対策もとられていなかった。
【０００５】
本発明の課題は、ヒンジユニットのトルク発生機構への水の侵入を防ぐとともに、グリスの漏出を防ぐことである。
【課題を解決するための手段】
【０００６】
以上の課題を解決するため、請求項１に記載の発明は、中央に貫通孔を有する底部が内部に設けられ、両端部が開口された筒体と、先端が前記貫通孔に挿入され、基部に前記一方の開口を封止する蓋部が設けられた回転軸と、前記貫通孔よりも大きく、前記貫通孔に挿通された状態の前記回転軸の先端に設けられた脱落防止材と、前記筒体内の底部と蓋部との間に軸方向に移動可能に設けられたスライド体と、前記スライド体と係合する係合部を有し前記スライド体に対して周方向に回転可能に前記筒体内の底部と蓋部との間に設けられた回転部と、前記スライド体を前記回転部側に付勢する付勢材と、を備え、前記蓋部の外周には前記筒体の内壁面との隙間を封止する第１の封止材が設けられ、前記他方の開口は第２の封止材により閉塞されることを特徴とするヒンジユニットである。
【０００７】
請求項２に記載の発明は、中央に貫通孔を有する底部が一方の端部に設けられ、他方の端部が開口された筒体と、先端が前記貫通孔に挿入され、基部に前記開口を封止する蓋部が設けられた回転軸と、前記貫通孔よりも大きく、前記貫通孔に挿通された状態の前記回転軸の先端に設けられた脱落防止材と、前記筒体内に軸方向に移動可能に設けられたスライド体と、前記スライド体と係合する係合部を有し前記スライド体に対して周方向に回転可能に前記筒体内に設けられた回転部と、前記スライド体を前記回転部側に付勢する付勢材と、を備え、前記蓋部の外周には前記筒体の内壁面との隙間を封止する第１の封止材が設けられ、前記底部と前記脱落防止材との間には、前記回転軸と前記筒体との隙間を封止する第２の封止材が設けられることを特徴とするヒンジユニットである。
【０００８】
請求項３に記載の発明は、請求項１または２に記載のヒンジユニットにおいて、前記回転部は前記底部または前記蓋部であることを特徴とする。
【０００９】
請求項４に記載の発明は、請求項１〜３のいずれか一項に記載のヒンジユニットにおいて、前記筒体内の前記第１の封止材と前記第２の封止材との間にはグリスが充填されることを特徴とする。
【００１０】
請求項５に記載の発明は、請求項１〜４のいずれか一項に記載のヒンジユニットにおいて、前記回転軸の軸線方向と直角な軸線方向の第２の回転軸を備えることを特徴とする。
【発明の効果】
【００１１】
本発明によれば、スライド体、回転部を収容する筒体内が第１の封止材及び第２の封止材により封止されるので、トルク発生機構への水の侵入を防ぐことができる。また、この中に充填したグリスの漏出を防ぐことである。
【発明を実施するための最良の形態】
【００１２】
以下、本発明の実施形態について説明する。
図１は本発明を適用した携帯電話機１を示す斜視図である。携帯電話機１は、図１に示すように、前面に表示画面２７が設けられた蓋体２と、前面にキー操作部３３が設けられた本体３と、蓋体２と本体３とを接続するヒンジ部４とからなる。なお、ヒンジ部４には、後述するヒンジユニット４０及びフレキシブルプリント基板（ＦＰＣ４１）が設けられている。
【００１３】
図２は携帯電話機１の筐体の分解斜視図である。
図２に示すように、蓋体２の筐体は、前ケース２１と、後ケース２２と、ディスプレイパネル２３と、ネジカバー２４と、ヒンジカバー２５等から概略構成される。
【００１４】
前ケース２１は四隅にネジ孔２１１を有し、後ケース２２にネジ止めされ、内部に図示しない表示装置（ＬＣＤディスプレイ等）、図示しない回路基板等が収納される。上部のネジ孔２１１はネジカバー２４により覆われる。
また、前ケース２１には透明なディスプレイパネルにより塞がれる大きな開口２１２が設けられており、蓋体２の内部に収納される表示装置が見えるようになっている。
【００１５】
前ケース２１の下端部には、ヒンジユニット４０のブラケット５９がネジ４４，４４により止められている。また、前ケース２１の下端部には、ＦＰＣ４１を挿通させ、ＦＰＣ４１に設けられたキャップ４１１（図４参照）により閉塞される挿通孔２１３が設けられている。ブラケット５９やキャップ４１１により閉塞される挿通孔２１３は下部のネジ孔２１１とともにヒンジカバー２５により覆われる。
【００１６】
本体３の筐体は、前ケース３１と、中ケース３２と、後ケース３３と、等から概略構成され、内部にキーパッド３４や図示しないキー基板、図示しないメイン基板等が収納される。
前ケース３１の上端には、ヒンジユニット４０の左右両端部を覆うヒンジカバー３１１，３１１が設けられている。また、前ケース３１には、キーパッド３４を露出させるためのキー孔３１２が設けられている。
【００１７】
中ケース３２の前面には、開口３２１が設けられている。この開口３２１の部分に配置されるキー基板（図示せず）の前面にキーパッド３４が配置される。開口３２１は前ケース３１により覆われる。
中ケース３２の上端部には、ヒンジユニット４０のブラケット６７，７３がネジ４５，４５により止められている。ブラケット６７，７３はヒンジカバー３１１，３１１により覆われる。
また、中ケース３２の上端面には、ＦＰＣ４１を挿通させ、ＦＰＣ４１に設けられたキャップ４１２（図４参照）により閉塞される挿通孔（図示せず）が設けられている。
後ケース３３は内部に中ケース３２が嵌入され、中ケース３２の上端面、下端面、左右側面及び後部を覆う。
【００１８】
ＦＰＣ４１は、図４に示すように、キャップ４１１，４１２を有し、両端部に設けられた接続部４１３，４１４と、回転巻き部４１５と、開閉巻き部４１６とからなる。接続部４１３は蓋体２に収納される回路基板に接続される。接続部４１４は本体３に収納される回路基板に接続される。回転巻き部４１５はヒンジユニット４０のケース５７に巻きつけられる。開閉巻き部４１６はヒンジユニット４０のケース７２に巻きつけられる。
【００１９】
次に、本発明に係るヒンジユニット４０について詳細に説明する。
図３は図２のヒンジ部４の前カバー４２，後カバー４３を外した状態を示す分解斜視図であり、図４はヒンジユニット４０及びＦＰＣ４１を前ケース２１、中ケース３２から外した状態を示す分解斜視図である。また、図５はヒンジユニット４０の分解斜視図であり、図６は図４のVI−VI矢視端面図である。
ヒンジユニット４０は、３つの回転モジュール５，６，７からなる。
【００２０】
回転モジュール５は、図５，図６に示すように、基部５０と、Ｏリング５４と、２つのディスクスプリング５５，５５と、カム５６と、ケース５７と、ワッシャー５８と、ブラケット５９とからなる。
【００２１】
基部５０は、左右に設けられたブラケット５１，５２と、中央に設けられたシャフト５３とを有する。
ブラケット５１の左端部には、回転モジュール６のシャフト６１が挿入される挿入口５１１が設けられている。また、ブラケット５１の外周部には、挿入口５１１に挿入されるシャフト６１をブラケット５１に固定するためにシャフト６１に差し込まれるピン５０５を挿入する孔５１２が設けられている。
ブラケット５２の右端部には回転モジュール７のシャフト７１が挿入される挿入口５２１が設けられている。また、ブラケット５２の外周部には、挿入口５２１に挿入されるシャフト６１をブラケット５１に固定するためにシャフト７１に差し込まれるピン５０５を挿入する孔５２２が設けられている。
【００２２】
シャフト５３は基部側から順に、蓋部５３１と、カム係合部５３４と、ワッシャー固定部５３６とからなる。
蓋部５３１は外径がケース５７の挿入口５７１の内径よりも若干小さい円筒形である。蓋部５３１には外周部に溝５３２が設けられており、溝５３２にＯリング５４が嵌合している。Ｏリング５４は挿入口５７１の内壁面と密着し、蓋部５３１とケース５７との隙間を水密に封止する。
カム係合部５３４は、２つのディスクスプリング５５，５５及びカム５６に挿通される。また、カム係合部５３４には、左右に平坦な係合部５３５，５３５が設けられている。
ワッシャー固定部５３６の先端には、左右に切欠き５３７，５３７が設けられている。ワッシャー固定部５３６の先端は、ワッシャー５８に挿通された状態で先端を潰される。
【００２３】
ディスクスプリング５５，５５は環状であり、中央に設けられた孔５５１にシャフト５３が挿通されている。ディスクスプリング５５，５５はカム５６をケース５７側へ付勢する。カム５６は環状であり、中央に孔５６１が設けられている。孔５６１の形状はカム係合部５３４の断面形状とほぼ等しく、係合部５３５と係合する２箇所の平坦部５６２，５６２が設けられている。平坦部５６２，５６２が係合部５３５，５３５と係合することで、カム５６のシャフト５３に対する軸方向への移動を可能としながら、軸周りの回転が妨げられる。
カム５６のケース５７側の面には２箇所の凹部５６２，５６２が互いに１８０°反対側に設けられている。
【００２４】
ケース５７は円筒状であり、外周部にＦＰＣ４１の回転巻き部４１５が配設される。
ケース５７の下面には、シャフト５３の蓋部５３１、ディスクスプリング５５，５５及びカム５６が挿入される挿入口５７１が設けられている。なお、蓋部５３１、２つのディスクスプリング５５，５５及びカム５６の外径はほぼ等しく、挿入口５７１の内径よりも若干小さく形成されている。
また、挿入口５７１の底部には、カム５６の凹部５６２，５６２と係合する突起（図示せず）が設けられている。
【００２５】
ケース５７の上端面には、ワッシャー５８やブラケット５９のキャップ５９３が挿入される挿入口５７２が設けられている。挿入口５７２の内径はワッシャー５８の外径よりも若干大きく形成されている。挿入口５７２の内壁はキャップ５９３と密着し、水密に封止される。
【００２６】
挿入口５７１と挿入口５７２とは、底部に設けられた貫通孔５７３により貫通している。貫通孔５７３にはワッシャー固定部５３５が挿入される。
【００２７】
なお、挿入口５７１、挿入口５７２、貫通孔５７３の内部は、Ｏリング５４及びキャップ５９３により封止されており、内部にグリスが封入されている。グリスはシャフト５３、カム５６、ワッシャー５８のケース５７に対する回転を円滑にし、磨耗を防ぐ。ケース５７がＯリング５４及びキャップ５９３により封止されているため、封入されたグリスがケース５７の外へ漏出することはない。
【００２８】
ケース５７の上端には、ブラケット５９に設けられた孔５９４に挿入される突起５７４が設けられている。
【００２９】
ワッシャー５８は中央に孔５８１を有し、この孔５８１にシャフト５３のワッシャー固定部５３５が挿通される。ワッシャー５８の孔５８１の内壁面には、平坦部５８２が設けられている。平坦部５８２にワッシャー固定部５３５の切欠き５３５が係合することで、ワッシャー５８の軸回りの回転が妨げられる。
切欠き５３５が平坦部５８２と係合した状態でワッシャー固定部５３６の先端が潰されることで、ワッシャー５８はワッシャー固定部５３６の先端部に固定される。
【００３０】
カム係合部５３４、ワッシャー固定部５３６がディスクスプリング５５，５５、カム５６及びケース５７に挿通された状態で、ワッシャー固定部５３６の先端にワッシャー５８が固定されることで、ディスクスプリング５５，５５、カム５６及びケース５７は、蓋部５３１とワッシャー５８との間に挟持される。
【００３１】
ブラケット５９は左右に前ケース２１への固定部５９１、５９１を有する。また、ブラケット５９は下面に突起５９２を有し、突起５９２にはキャップ５９３が被せられている。ここで、キャップ５９３は、ゴム等の弾性材からなり、挿入口５７２に挿入されて内壁面と密着し、水密に封止する。
また、突起５９２の周囲には、ケース５７の上端の突起５７４が挿通される孔５９４が設けられている。孔５９４に突起５７４が挿通された状態で、突起５７４の先端を潰すことにより、ブラケット５９がケース５７に固定される。
【００３２】
上記構造の回転モジュール５では、基部５０、カム５６、ワッシャー５８に対して、ケース５７及びブラケット５９が円滑に回転可能となる。
【００３３】
回転モジュール６は、図５，図６に示すように、シャフト６１と、Ｏリング６２と、カム６３と、コイルスプリング６４と、ケース６５と、Ｏリング６６と、ブラケット６７と、ワッシャー６８とからなる。
シャフト６１は、ブラケット５１に取り付けられる基部６１１と、蓋部６１３と、小径部６１５と、ワッシャー固定部６１６とからなる。
基部６１１には、ピン５０３が差し込まれるピン孔６１２が設けられている。シャフト６１のピン孔６１２が設けられた端部が基部５０の挿入口５１１に挿入された状態で、ピン孔５１２，６１２にピン５０３が差し込まれることで、シャフト６１は基部５０に固定される。このときシャフト６１の軸線方向はシャフト５３の軸線方向と直角方向となるように配置される。
【００３４】
蓋部６１３は外径がケース６５の挿入口６５１の内径よりも若干小さい円筒形である。蓋部６１３には、外周部に溝６１４が設けられており、溝６１４にＯリング６２が嵌合している。Ｏリング６２はケース６５の挿入口６５１の内壁面と密着し、水密に封止する。蓋部６１３の左側端面には、中央に小径部６１５が設けられており、外周部に凹部（図示せず）が設けられている。凹部にはカム６３の突起６３３が係合する。
【００３５】
小径部６１５は、カム６３、コイルスプリング６４，ケース６５に挿通される。
ワッシャー固定部６１６の先端には、左右に切欠き６１７，６１７が設けられている。ワッシャー固定部６１６の先端は、ワッシャー６８に挿通された状態で先端を潰される。
カム６３には、中央に穴６３１が設けられており、穴６３１にはシャフト６１の小径部６１５が挿通されている。また、カム６３の外周部には、２箇所の突起部６３２，６３２が互いに１８０°反対側に設けられている。突起部６３２，６３２はケース６５の挿入口６５１内に軸方向に設けられた溝６５２（図６参照）と係合する。
また、カム６３の蓋部６１３と対向する面には、突起６３３が設けられている。突起６３３は蓋部６１３の対向面に設けられた凹部（図示せず）と係合する。
【００３６】
コイルスプリング６４は螺旋状であり、中央にシャフト６１が挿通されている。コイルスプリング６４はケース６５内の縮径部６５３に保持され、カム６３を蓋部６１３側へ付勢する。
ケース６５は筒状であり、右側端面に挿入口６５１が設けられている。
挿入口６５１内には、軸方向に溝６５２，６５２が設けられている。溝６５２，６５２にはカム６３の突起部６３２，６３２が係合する。
挿入口６５１の底部は、入口側よりも内径の小さい縮径部６５３となっている。縮径部６５３の内径はコイルスプリング６４の外径よりも若干大きく、縮径部６５３は内部にコイルスプリング６４を保持する。
【００３７】
また、挿入口６５１の底部には、左側端面まで貫通する貫通孔６５４が設けられている。貫通孔６５４にはワッシャー固定部６１６が挿入される。
ケース６５の左側端面には、Ｏリング６６を保持する環状突起６５５が設けられている。また、環状突起６５５の外周部には、ブラケット６７の凹部６７３と係合する係合突起６５６が設けられている。
Ｏリング６６はケース６５とブラケット６７との間に挟持され、小径部６１５の外周面と密着し、環状突起６５５と小径部６１５との隙間を水密に封止する。
【００３８】
なお、挿入口６５１、貫通孔６５４の内部は、Ｏリング６２，６６により封止されており、内部にグリスが封入されている。グリスはシャフト６１のケース６５に対する回転、カム６３及びコイルスプリング６４の軸方向への移動を円滑にし、磨耗を防ぐ。ケース６５がＯリング６２，６６により封止されているため、封入されたグリスがケース６５の外へ漏出することはない。
【００３９】
ブラケット６７は、中ケース３２への固定部６７１を有する。また、ブラケット６７のケース６５と対向する面には、ケース６５の環状突起６５５の外周部に配置される円弧状の突起６７２，６７２が設けられ、突起６７２，６７２の間が係合突起６５６と係合する凹部６７３となっている。
また、ブラケット６７はワッシャー６８が固定されたシャフト６１を挿通させる挿通孔６７４を有する。
【００４０】
ワッシャー６８は中央に孔６８１を有し、この孔６８１にシャフト６１のワッシャー固定部６１６が挿通される。ワッシャー６８の孔６８１の内壁面には、平坦部６８２が設けられている。平坦部６８２にワッシャー固定部６１６の切欠き６１７が係合することで、ワッシャー６８の軸回りの回転が妨げられる。
切欠き６１７が平坦部６８２と係合した状態でワッシャー固定部６１６の先端が潰されることで、ワッシャー６８はワッシャー固定部６１６の先端部に固定される。
【００４１】
小径部６１５、ワッシャー固定部６１６がカム６３、コイルスプリング６４、ケース６５，Ｏリング６６、ブラケット６７及びワッシャー６８に挿通された状態で、ワッシャー固定部６１６の先端にワッシャー６８が固定されることで、カム６３、コイルスプリング６４、ケース６５，Ｏリング６６、ブラケット６７は、蓋部６１３とワッシャー６８との間に挟持される。
【００４２】
上記構造の回転モジュール６では、シャフト６１、ワッシャー６８に対して、カム６３、コイルスプリング６４、ケース６５、Ｏリング６６、ブラケット６７が回転可能となる。
【００４３】
回転モジュール７は、図６に示すように、シャフト７１と、ケース７２と、ブラケット７３と、ワッシャー７４とからなる。
シャフト７１の一端には、ピン５０５が差し込まれるピン孔７１１が設けられている。シャフト７１のピン孔７１１が設けられた端部が基部５０の挿入口５２１に挿入された状態で、ピン孔５２２，７１１にピン５０５が差し込まれることで、シャフト７１は基部５０に固定される。このときシャフト７１の軸線はシャフト６１の軸線と一致するように配置される。
【００４４】
また、シャフト７１の他端には、ワッシャー７４に挿通されるワッシャー固定部７１２が設けられている。ワッシャー固定部７１２はワッシャー固定部６１６と同様に、ワッシャー７４の孔の内壁面に設けられた平坦部７４２と係合する切欠きが設けられている。
ケース７２は筒状であり、内部にシャフト７１が挿入される。また、ケース７２の外周部には、溝７２１が周方向に設けられている。溝７２１にはＦＰＣ４１の開閉巻き部４１６が配設される。
ブラケット７３は中ケース３２への固定部７３１を有する。また、ブラケット７３はワッシャー７４が固定されたシャフト７１を挿通させる挿通孔７３２を有する。
【００４５】
ワッシャー７４は中央に孔を有し、この孔にシャフト７１のワッシャー固定部７１２が挿通される。ワッシャー７４の孔の内壁面には、平坦部７４２が設けられている。平坦部７４２がワッシャー固定部７１２に設けられた切欠きと係合することで、ワッシャー７４の軸回りの回転が妨げられる。ワッシャー固定部７１２の先端部がワッシャー７４に挿通された状態で潰されることで、ワッシャー７４はシャフト７１の端部に固定される。
【００４６】
ワッシャー固定部７１２の先端にワッシャー７４が固定されたシャフト７１がブラケット７３、ケース７２に挿通された状態で、シャフト７１のピン孔７１１が設けられた端部を基部５０の挿入口５２１に挿入し、ピン孔５２２，７１１にピン５０５を差し込むことで、ブラケット７３、ケース７２は、基部５０とワッシャー７４との間に挟持される。
【００４７】
上記構造の回転モジュール７では、基部５０、シャフト７１、ワッシャー７４に対して、ケース７２、ブラケット７３が回転可能となる。
【００４８】
上記ヒンジユニット４０の固定部５９１，５９１を前ケース２１に、固定部６７１，７３１を中ケース３２に取り付けると、前ケース２１はシャフト５３に対して回転可能となり、中ケース３２はシャフト６１，７１に対して回転可能となる。
【００４９】
なお、以上の実施形態においては、トルク発生機構として、カム５６をケース５７に係合させたが、例えば、カム５６と係合する突起を有しケース５７とともに回転する回転体をカム５６とケース５７の底部との間に別途設けてもよい。同様に、カム６３をシャフト６１に係合させたが、カム６３と係合する凹部を有しシャフト６１とともに回転する回転体をカム６３と蓋部６１３との間に別途設けてもよい。
【図面の簡単な説明】
【００５０】
【図１】本発明を適用した携帯電話機１を示す斜視図である。
【図２】図１の携帯電話機１の筐体の分解斜視図である。
【図３】図２のヒンジ部４の前カバー４２，後カバー４３を外した状態を示す分解斜視図である。
【図４】図３のヒンジユニット４０及びＦＰＣ４１を前ケース２１、中ケース３２から外した状態を示す分解斜視図である。
【図５】図４のヒンジユニット４０の分解斜視図である。
【図６】図４のVI−VI矢視端面図である。
【符号の説明】
【００５１】
５，６，７    回転モジュール（ヒンジユニット）
５０   基部
５３，６１    シャフト（回転軸）
５４，６２，６６     Ｏリング（封止材）
５５   ディスクスプリング（付勢材）
５６，６３    カム（スライド体）
５７，６５    ケース（筒体）
５８，６８    ワッシャー（脱落防止材）
５９３ キャップ（封止材）
６４   コイルスプリング（付勢材）
６７   ブラケット（脱落防止材）
５３１，６１３       蓋部
５７１，５７２，６５１      挿入口（開口）
５７３，６５４       貫通孔
５９３ キャップ（封止材）
【図１】
2007271061.tif 000003
【図２】
2007271061.tif 000004
【図３】
2007271061.tif 000005
【図４】
2007271061.tif 000006
【図５】
2007271061.tif 000007
【図６】
2007271061.tif 000008